(57)【要約】【課題】筺体の組立てまたは分解でオン・オフするセキュリティスイッチの固定金具を不要にして部品点数の低減を図るとともに組立ておよび分解作業が容易かつ迅速に行えるようにする。【解決手段】筺体の組立てまたは分解によりオンまたはオフするセキュリティスイッチを備えた筺体構造であって、プリント回路基板１０が実装されるケース本体１と、ケース本体を覆う上部カバー２０と、ケース本体１の背面を覆う後部カバー３０との３部品から構成され、上部カバー２０の持ち上げ時に、上部カバーが後部カバー３０に係合可能に構成することにより、ケース本体からの上部カバー２０の取り外しは、ケース本体からの後部カバー３０の取り外しを先行条件とし、セキュリティスイッチ１４をプリント配線基板に直接取り付ける。【選択図】  図８
2004172455.tif 000002
【特許請求の範囲】
【請求項１】
電子部品が実装されるケース本体と、該ケース本体を覆う上部カバーと、前記ケース本体の背面を覆う後部カバーとの３部品から構成され、前記上部カバーの持ち上げ時に、該上部カバーが前記後部カバーに係合可能に構成することにより、前記上部カバーの前記ケース本体からの取り外しは、前記後部カバーの前記ケース本体からの取り外しを先行条件とすることを特徴とする電子機器装置の筺体構造。
【請求項２】
筺体の組立てまたは分解によりオンまたはオフするセキュリティスイッチを備えた電子機器装置の筺体構造であって、
電子部品が実装されるケース本体と、該ケース本体を覆う上部カバーと、前記ケース本体の背面を覆う後部カバーとの３部品から構成され、前記上部カバーの持ち上げ時に、該上部カバーが前記後部カバーに係合可能に構成することにより、前記ケース本体からの前記上部カバーの取り外しは、前記ケース本体からの前記後部カバーの取り外しを先行条件とし、さらに前記セキュリティスイッチを前記後部カバーが前記ケース本体から取り外されたこと、または取り付けられたことを検出して、それぞれスイッチオフまたはスイッチオン可能な位置に設けたことを特徴とする電子機器装置の筺体構造。
【請求項３】
前記電子部品としてのプリント回路基板を前記ケース本体に実装して、前記セキュリティスイッチを前記プリント配線基板に直接取り付けたことを特徴する請求項２記載の電子機器装置の筺体構造。
【発明の詳細な説明】
【０００１】
【発明の属する技術分野】
本発明は、筺体の特定の一部が先行して取り外されない限り分解不能な筺体構造、特に筺体の組立てまたは分解によりオン・オフするセキュリティスイッチを備えた電子機器装置の筺体構造に関する。
【０００２】
【従来の技術】
セキュリティの観点から筺体が分解された場合にはスイッチが自動的にオフになるように構成された電子機器装置の筺体が知られている。
【０００３】
従来このような電子機器装置の筺体として、例えば、図１０および図１１に示すように、底板１００の前端から操作パネル１０１を起立するとともに、後端から背面板１０２を起立した下部ケース部分１０３と、天板１０４の左右両側から側板１０５を垂下した上部ケース部分１０６とから構成され、下部ケース部分１０３にプリント回路基板１０７を実装するとともに、プリント回路基板１０７上にスイッチ固定用金具１０８を立設し、このスイッチ固定用金具１０８の先端部にスイッチ１０９を取り付けるとともに、スイッチ１０９をケーブル１１０でプリント回路基板１０７に布線したものが知られている。
【０００４】
筺体として使用するには、下部ケース部分１０３の上方と左右両側面とを覆うように上部ケース部分１０６を下部ケース部分１０３に取り付ければよく、すると上部ケース部分１０６の天板１０４が、図１１に示すように、スイッチ１０９に接触してスイッチオンさせる。一方、筺体を分解するために、上部ケース部分１０６を下部ケース部分１０３から取り外すと、天板１０４がスイッチ１０９から離間してスイッチオフとなる。このように上部ケース部分１０６の取付け・取外しでスイッチ１０９がオン・オフするように構成されている。
【０００５】
【発明が解決しようとする課題】
しかしながら、上記従来例では、スイッチ１０９を固定するためのスイッチ固定用金具１０８が必要となるため部品点数が増加するとともに、スイッチ１０９をプリント回路基板１０７にケーブル１１０で布線しなければならないため組立て作業や分解作業に時間がかかる上、スイッチ固定用金具１０８の変形によりスイッチ１０９と天板１０４との位置関係を厳密に設定することは困難であり製品間において品質に差が生ずるおそれがあった。
【０００６】
また、筺体は上部ケース部分１０６と下部ケース部分１０３との２部分で構成されているため、筺体の分解が容易でありセキュリティの観点からは好ましくなかった。
【０００７】
本発明は、上記問題点に着目してなされたもので、その目的とするところは、部品点数が少なく、組立ておよび分解作業が容易かつ迅速に行えるとともに、スイッチとカバーとの位置関係を厳密に設定可能で、かつセキュリティにおいて優れた電子機器装置の筺体構造を提供することにある。
【０００８】
【課題を解決するための手段】
上記目的を達成するため、本発明は、電子部品が実装されるケース本体と、該ケース本体を覆う上部カバーと、前記ケース本体の背面を覆う後部カバーとの３部品から構成され、前記上部カバーの持ち上げ時に、該上部カバーが前記後部カバーに係合可能に構成することにより、前記上部カバーの前記ケース本体からの取り外しは、前記後部カバーの前記ケース本体からの取り外しを先行条件とする。
【０００９】
従って、本発明は、後部カバーがケース本体から取り外されない限り、上部カバーをケース本体から取り外すことができないため、徒に筐体を分解することができずセキュリティに優れている。
【００１０】
また、本発明は、筺体の組立てまたは分解によりオンまたはオフするセキュリティスイッチを備えた電子機器装置の筺体構造であって、電子部品が実装されるケース本体と、該ケース本体を覆う上部カバーと、前記ケース本体の背面を覆う後部カバーとの３部品から構成され、前記上部カバーの持ち上げ時に、該上部カバーが前記後部カバーに係合可能に構成することにより、前記ケース本体からの前記上部カバーの取り外しは、前記ケース本体からの前記後部カバーの取り外しを先行条件とし、さらに前記セキュリティスイッチを前記後部カバーが前記ケース本体から取り外されたこと、または取り付けられたことを検出して、それぞれスイッチオフまたはスイッチオン可能な位置に設けている。
【００１１】
従って、本発明は、セキュリティスイッチが後部カバーの着脱を検出可能な位置に取り付けられているため、上部カバーの着脱を検出する従来例のように、スイッチを固定するためのスイッチ固定用金具が不要であり、よって部品点数の低減が図れるとともに、スイッチ固定用金具の変形といった問題が生ぜず、よってセキュリティスイッチと後部カバーとの位置関係を厳密に設定することができるため、製品間における品質の均一化が可能となる。
【００１２】
さらに、本発明は、前記電子部品としてのプリント回路基板を前記ケース本体に実装して、前記セキュリティスイッチを前記プリント配線基板に直接取り付けることが考えられる。
【００１３】
従って、本発明は、セキュリティスイッチがプリント回路基板に直接取り付けられているため、従来例のように、セキュリティスイッチをプリント回路基板にケーブルで布線する必要がなく、よって組立ておよび分解作業が容易かつ迅速に行える。
【００１４】
【発明の実施の形態】
以下、本発明に係る電子機器装置の筺体構造の実施形態を、図面を参照しながら説明する。
【００１５】
図１は電子機器装置の筺体構造における全体構造の外観を示すもので、ケース本体１と、ケース本体１の上面および左右両側面を覆う上部カバー２０と、ケース本体１の背面を覆う後部カバー３０とから構成されている。
【００１６】
図２はケース本体１を示す斜視図である。ケース本体１はベース２の前端から正面パネル３を起立するとともに、ベース２の左右両側端から支持壁４を起立する。
【００１７】
正面パネル３の上側端部と左右両側端部とは後方に折曲されて、それぞれ上板部３ａと側板部３ｂとを形成するとともに、上板部３ａの後端中央から突出板５を後方突出する。また、左右の支持壁４のそれぞれの上端から一対の爪４ａを突設する。さらに、ベース２の後端中央から係合片６を後方突設するとともに、ベース上面の適宜の位置には後述するプリント回路基板１０を支持するためのねじ孔付き支柱７を立設する。
【００１８】
図３はケース本体１に実装するプリント回路基板１０の斜視図を示す。プリント回路基板１０の前端部には操作用スイッチ１１および金具付きＬＣＤ１２が実装され、またプリント回路基板１０の後端部にはコネクタ１３およびセキュリティスイッチ１４が実装されている。
【００１９】
セキュリティスイッチ１４は、後述するように後部カバー３０が取り付けられるとスイッチオンし、取り外されるとスイッチオフすることが可能な位置に設けられている。
【００２０】
プリント回路基板１０をケース本体１に実装するには、プリント回路基板１０をベース２の支柱７に載置して、プリント回路基板１０に形成されたねじ孔１５から後述するねじ１５ａを支柱７のねじ穴に螺合させてプリント回路基板１０をケース本体１に固定すればよい。
【００２１】
図４は上部カバー２０の斜視図を示す。上部カバー２０は天板２１の左右両側から垂下板２２を垂設するとともに、天板２１の前端から一対の第１係合片２３を前方突出する。左右両垂下板２２の後端部を除く下端部は内方に折曲されて折曲部２４を形成するとともに、両折曲部２４に前後一対の爪挿入用孔２５を形成する。また、両垂下板２４の前端から第２係合片２６を前方突出するとともに、両垂下板２４の後端部にねじ孔２７を形成する。さらに、天板２１の後端部下面から係止板２８を垂下する。
【００２２】
上部カバー２０をケース本体１に取り付けるには、爪挿入用孔２５に爪４ａを挿入して折曲部２４を支持壁４上端に載置した後、上部カバー２０を前方へ摺動させて、第１係合片２３を上板部３ａ内面へ係合させるとともに、第２係合片２６を側板部３ｂ内面へ係合させればよく、すると同時に突出板５が天板２１内面に係合するとともに、爪挿入用孔２５の後端が爪４ａの基部に係合して上部カバー２０がケース本体１に固定される。
【００２３】
図５は後部カバー３０を示す斜視図である。後部カバー３０は背面板３１の左右両側から側板３２を前方突出して、両側板３２の下端部における前部を切り欠いて下向き係合端面３３を形成するとともに、背面板３１の下端部を前方に屈曲して屈曲部３４を形成し、さらに、両側板３２にねじ孔３５を形成するとともに、背面板３１にコネクタ用孔３６を形成する。
【００２４】
後部カバー３０をケース本体１および上部カバー２０に取り付けるには、図７に示すように屈曲部３４をケース本体１の係合片６へ係合させるとともに、両側板３２を上部カバー２０の垂下板２４内面へ嵌合させて、下向き係合端面３３を上部カバー２０の折曲部２４の上方に位置させるとともに、後述のねじ３８を側板３２のねじ孔３５と垂下板２４のねじ孔２７とのそれぞれに螺合させればよい。
【００２５】
図６は組立て順序を示す。前述したように、ケース本体１にプリント回路基板１０を実装した後、上部カバー２０でケース本体１の正面および背面を除いた上方および側方開放部分を覆い、次いでケース本体１および上部カバー２０の背面を後部カバー３０で覆った後、ねじ３８をねじ孔２７に螺合させる。
【００２６】
図７ないし図９は組立て後の正面図、側断面図および部分拡大図を示す。同図からわかるように、後部カバー３０の背面板３１の上部は上部カバー２０の係止板２８の後面に係止するとともに、セキュリティスイッチ１４本体から突設する弾性変形自在な検出片持ち片１４ａの先端部は背面板３１に弾性力により接触している。
【００２７】
次に、筺体の分解手順およびセキュリティスイッチ１４のオンーオフ動作について説明する。筺体を分解するには、ねじ３８を側板３２のねじ孔３５と垂下板２４のねじ孔２７から取り外して、後部カバー３０を後方に移動させることによりケース本体１と上部カバー２０とから後部カバー３０を取り外した後、上部カバー２０を後方に引いてその前端部を正面パネル３から離脱させて上方に持ち上げればよい。
【００２８】
このように後部カバー３０を取り外した後でなければ、上部カバー２０を取り外すことができない。また、筺体の分解のために、後部カバー３０を取り外すと、検出片持ち片１４ａが弾性変形してスイッチ本体１４ａから後方に離間するためスイッチオフとなる。
【００２９】
一方、分解後の組立てのため、後部カバー３０を取り付けると、検出片持ち片１４ａが前方に弾性変形してスイッチ本体１４ａに接触するため、スイッチオンとなる。なお、セキュリティスイッチ１４としては後部カバー３０の着脱を検出してオン・オフするものであれば特に限定はない。
【００３０】
【発明の効果】
本発明は、後部カバーがケース本体から取り外されない限り、上部カバーをケース本体から取り外すことができないため、徒に筐体を分解することができずセキュリティに優れている。
【００３１】
また、本発明は、セキュリティスイッチが後部カバーの着脱を検出可能な位置に取り付けられているため、上部カバーの着脱を検出する従来例のように、スイッチを固定するためのスイッチ固定用金具が不要であり、よって部品点数の低減が図れるとともに、スイッチ固定用金具の変形といった問題が生ぜず、よってセキュリティスイッチと後部カバーとの位置関係を厳密に設定することができるため、製品間における品質の均一化が可能となる。
【図面の簡単な説明】
【図１】本発明に係る電子機器装置の筐体構造の全体外観構成を示す斜視図である。
【図２】同じく、ケース本体の斜視図である。
【図３】同じく、プリント回路基板の斜視図である。
【図４】同じく、上部カバーの斜視図である。
【図５】同じく、後部カバーの斜視図である。
【図６】（ａ）同じく、ケース本体にプリント回路基板を実装する工程を示す斜視図である。
（ｂ）同じく、ケース本体に上部カバーを取り付ける工程を示す斜視図である。
（ｃ）同じく、ケース本体に後部カバーを取り付ける工程を示す斜視図である。
（ｄ）同じく、組立て完成後の斜視図である。
【図７】同じく、ケース本体の正面図である。
【図８】同じく、図７のＡ−Ａ線から見た断面図である。
【図９】同じく、図８のＢ部における拡大図である。
【図１０】従来例の分解斜視図である。
【図１１】
同じく、図１１のＣ部における拡大図である。
【符号の説明】
１  ケース本体
１０  プリント回路基板
１４  セキュリティスイッチ
２０  上部カバー
３０  後部カバー
【図１】
2004172455.tif 000003
【図２】
2004172455.tif 000004
【図３】
2004172455.tif 000005
【図４】
2004172455.tif 000006
【図５】
2004172455.tif 000007
【図６】
2004172455.tif 000008
【図７】
2004172455.tif 000009
【図８】
2004172455.tif 000010
【図９】
2004172455.tif 000011
【図１０】
2004172455.tif 000012
【図１１】
2004172455.tif 000013